(57)【要約】      （修正有）【課題】単に、足裏や脹脛を載せておくだけで、十分な経穴刺激効果が得られ、食事や仕事、あるいは余暇を過ごしながら手軽で容易に実行することができる下肢刺激用器具を提供する。【解決手段】相対向する一対の支持板２、２を有し、その支持板２、２間に、上向き突起５、５‥を複数形成した刺激部材３、３を少なくとも一個以上挟持している。支持板２、２は底面が平坦な平板とし、刺激部材３、３は上向き突起５、５‥を適宜間隔で列設した平板である。上向き突起５、５‥は頂面５ａ、５ａ‥を平坦面としており、その上向き突起５、５‥を複数形成した刺激部材３、３は、二枚を適宜間隔を隔てて平行に備えている。【選択図】図１
0003201507.tif 000002
【実用新案登録請求の範囲】
【請求項１】
相対向する一対の支持板を有し、その支持板間に、上向き突起を複数形成した刺激部材を少なくとも一個以上挟持していることを特徴とする下肢刺激用器具。
【請求項２】
前記した支持板は底面が平坦な平板とし、前記した刺激部材は上向き突起を適宜間隔で列設した平板であることを特徴とする請求項１に記載の下肢刺激用器具。
【請求項３】
前記した上向き突起は頂面を平坦面としており、その上向き突起を複数形成した刺激部材は、二枚を適宜間隔を隔てて平行に備えていることを特徴とする請求項１または２に記載の下肢刺激用器具。
【請求項４】
前記した支持板の頂面と刺激部材の突起の頂面とは同一の高さ位置にあることを特徴とする請求項１から３のうち１項に記載の下肢刺激用器具。
【請求項５】
全体を木材によって形成してあり、支持板と刺激部材はビスにより固着されていることを特徴とする請求項１から４のうち１項に記載の下肢刺激用器具。
【考案の詳細な説明】
【技術分野】
【０００１】
本考案は下肢刺激用器具、特に足裏及び脹脛に刺激を与え、健康維持あるいは健康増進を図るための下肢刺激用器具に関する。
【背景技術】
【０００２】
一般的に、足裏や脹脛には幾多の経穴が存在しており、その経穴を刺激することで血行を促進し、また内臓に対しても良好な影響を与えることが知られている。係る点に着目して、従来より種々の健康器具が開陳されているが、その多くは青竹を足裏の土踏まずで踏み付け、刺激を得るもの、あるいは複数のイボ状突起を表面に形成したサンダルやスリッパ等の履物あるいは敷物となっている。
【０００３】
しかしながら、この従来の器具は、刺激を受けるために、その上面に足裏を載せ自己の体重をかけ、その体重によって足裏を押し付ける作用が必要で、多くの場合、その器具の上面に立った状態で使用することとなり、場合によっては足踏み動作も要求される。この立った状態を要求されることや足踏みも要求されること、また、履物タイプの場合は歩行も要求されることがあり、高齢者や身体弱者にとっては苦痛であり、バランスをとることも難しい場合があり、日常生活のなかで手軽に実行できるというものではない。
【０００４】
また、従来の器具は脹脛に対しては使用が難しく、多くの場合、脹脛に対しては手先による揉み作業や、ローラ式の器具を宛がい、それを手で作動させて行なうものとなっており、決して手軽といえる作業ではなかった。
【先行技術文献】
【特許文献】
【０００５】
出願人は、本願考案について先行する技術文献を調査したが、格別に本願考案と関連し、類似していると思われる文献は発見できなかった。
【考案の概要】
【考案が解決しようとする課題】
【０００６】
本考案が解決しようとする問題点は、従来、下肢刺激用器具として、単に、足裏や脹脛を載せておくだけで、十分な経穴刺激効果が得られ、食事や仕事、あるいは余暇を過ごしながら手軽で容易に実行することができるというものが存在していなかったという点である。
【課題を解決するための手段】
【０００７】
上記した問題点を解消するために、本考案に係る下肢刺激用器具は、相対向する一対の支持板を有し、その支持板間に、上向き突起を複数形成した刺激部材を少なくとも一個以上挟持していることを特徴としている。
【０００８】
また、本考案に係る下肢刺激用器具は、前記した支持板は底面が平坦な平板とし、前記した刺激部材は上向き突起を適宜間隔で列設した平板であることを特徴としている。
【０００９】
さらに、本考案に係る下肢刺激用器具は、前記した上向き突起は頂面を平坦面としており、その上向き突起を複数形成した刺激部材は、二枚を適宜間隔を隔てて平行に備えていることを特徴としている。
【００１０】
そして、本考案に係る下肢刺激用器具は、前記した支持板の頂面と刺激部材の突起の頂面とは同一の高さ位置にあることを特徴としている。
【００１１】
また、本考案に係る下肢刺激用器具は、全体を木材によって形成してあり、支持板と刺激部材はビスにより固着されていることを特徴としている。
【考案の効果】
【００１２】
本考案に係る下肢刺激用器具は上記のように構成されている。そのため、この本考案に係る下肢刺激用器具は、足裏刺激の場合、使用者は椅子に腰掛けた状態で単に刺激部材の上向き突起の上に足裏を載せておくだけで十分な経穴刺激を受けることができ、立ち上がったり、足踏みをする必要もない。また、脹脛に対しては、使用者は仰向けに寝て、脹脛を前記上向き突起の上に載せておくだけで済むこととなる。そのため、前記したように、食事、仕事あるいは余暇を過ごしながら、並行して作業を実行することができ、非常に手軽で容易な作業となる。
【図面の簡単な説明】
【００１３】
【図１】一部を破断省略した、下肢刺激用器具を示す斜視図である。
【考案を実施するための形態】
【００１４】
図面として示し、実施例として説明したように構成したことで実現した。
【実施例１】
【００１５】
次に、本考案の好ましい実施の一例を図面を参照して説明する。図にあって１は本考案を実施した下肢刺激用器具本体を示しており、この下肢刺激用器具本体１は一対の相対向する支持板２、２を有している。この支持板２、２は安定性を確保するため底辺を長尺とした五角形となっており、衝突を避けるため、上辺と側辺とはテーパ面で連続させ、尖ったコーナーの存在をなくしている。
【００１６】
また、図中３、３は刺激部材を示しており、この刺激部材３、３は平板状となっており、本実施例にあっては、二枚を平行状態とし、その各々の端縁を前記した支持板２、２の内壁面で挟持された構成となっており、その支持板２、２の外面側からビス４、４‥によって止着固定されている。
【００１７】
この刺激部材３、３は上面に山形とした上向き突起５、５‥が切り込み等の加工処理によって複数個一体に形成されており、この上向き突起５、５‥間のピッチは本実施例にあって同等である。また、刺激部材３、３の上面と支持板２、２の上面は同一平面上とされる。さらに、上向き突起５、５‥の頂面は平坦とされており、この上向き突起５、５‥の頂面５ａ、５ａ‥も支持板２、２の上面と同一平面上に位置されるものとなっている。さらに、刺激部材３、３の下面には略台形状をした切り欠き６が形成されている。
【００１８】
また、前記した上向き突起５、５‥は高さや間隔を適宜変更して、諸々の上向き突起５、５‥として形成することもでき、その際に、上向き突起５、５‥間に形成される溝も深さや幅を変更することが可能であり、頂面５ａも平坦に限らず球面状等とすることも可能である。さらに、刺激部材３、３の数も少なくとも一以上あればよく、三枚以上のものとすることも勿論可能である。
【００１９】
そして、図１は、刺激部材３、３の途中を破断し、省略してあるが、下肢刺激用器具本体１として全体の長さ、即ち支持板２、２の外面間の長さＬは略４０ｃｍ、支持板２、２の幅Ｗは略１５ｃｍ、高さは略９ｃｍを想定し、刺激部材３、３‥の内間隔Ｓは略５ｃｍのサイズのものを想定している。この寸法は適宜変更することができることは当然である。
【００２０】
この本実施例における下肢刺激用器具本体１は全体が木製となっており、触感も優しいものとなっている。また、軽量となるので携行にも適し、病院やマッサージ院等における待合室、図書館、食堂その他、椅子に腰掛けられる場所で使用でき、旅行時には自動車、飛行機、新幹線内等の交通機関内での使用も手軽に実行できる。
【００２１】
この下肢刺激用器具本体１の使用方法は、本体１を床や畳あるいは屋外でも地表に置き、椅子に腰掛けた状態で、本体１の上向き突起５、強いてもその頂面５ａ、５ａ‥上に足裏を添えるように載せるだけで済む。第三者の手を借りることなく、また、力を込めて押圧する必要なく、足裏に圧力が加わり、経穴を刺激することができる。
【００２２】
脹脛を対象とする場合は、仰向けに寝た状態で、脹脛を本体１の上向き突起５、５‥強いては頂面５ａ、５ａ‥上に載せてやることで済み、力を込めての押圧は必要ない。足裏の場合も脹脛の場合も刺激が強く、痛いと思われる時は、頂面５ａ、５ａ‥上に布やタオルを被せることで調整できる。足裏の場合には靴下や足袋を履いてもよい。
【産業上の利用可能性】
【００２３】
本実施例に係る下肢刺激用器具は上記のように構成され、使用される。この下肢刺激用器具は一対の相対向する支持板を円板状とし、その中心に軸状の棒体を設け、その棒体の外周面に突起を列設した構成のようにすることもできる。この場合は足裏や脹脛をその棒体上に載せ、支持板を転動させることもでき、足裏や脹脛の刺激の範囲を広げることも可能となる。
【符号の説明】
【００２４】
１    下肢刺激用器具本体
２    支持板
３    刺激部材
４    ビス
５    上向き突起
５ａ  頂面
６    切り欠き
Ｌ    長さ
Ｗ    幅
Ｈ    高さ
Ｓ    間隔
【図１】
0003201507.tif 000003